(57)【要約】【課題】ネットワークへの加入者のアクセスを制御するシステム及び方法を提供する。【解決手段】該方法は、該加入者の識別と該加入者に提供されるべきアクセスのレベルとをホーム・ネットワーク（１０）に接続されている複数のネットワーク（１２，１４，１６）のうちの訪問先ネットワークから送り；該加入者の該識別と該加入者に提供されるべきアクセスのレベルとに応答して、該加入者に提供されるべき認可されたのアクセスの加入者プロフィールを蓄積し；そして該加入者に提供されるべきアクセスと蓄積された加入者プロフィールとの比較により任意のネットワークへの該加入者のアクセスを制御することを含む。【選択図】図１
2008271582.tif 000002
【特許請求の範囲】
【請求項１】
ネットワークへの加入者のアクセスを制御する方法であって：
該加入者の識別と該加入者に提供されるべきアクセスとをホーム・ネットワークに接続されている複数のネットワークのうちの訪問先ネットワークから送り；
該加入者の該識別と該加入者に提供されるべきアクセスとに応答して、該加入者に提供されるべき認可されたアクセスの加入者プロフィールを蓄積し；
該加入者に提供されるべきアクセスと蓄積された加入者プロフィールとの比較により任意のネットワークへの該加入者のアクセスを制御することを含む方法。
【請求項２】
該加入者プロフィールの蓄積は該ホーム・ネットワークにある、請求項１に記載の方法。
【請求項３】
該加入者プロフィールの蓄積は該訪問先ネットワークにある、請求項１に記載の方法。
【請求項４】
各々の異なるアクセスは通信における異なる程度の帯域幅を提供する、請求項１に記載の方法。
【請求項５】
各アクセスは通信における異なる程度のセキュリティに備える、請求項１に記載の方法。
【請求項６】
各々のアクセスは異なる接続補足サービスを提供する、請求項１に記載の方法。
【請求項７】
各々のアクセスは通信における異なる程度の帯域幅を提供する、請求項２に記載の方法。
【請求項８】
各々のアクセスは通信における異なる程度のセキュリティに備える、請求項２に記載の方法。
【請求項９】
各々のアクセスは異なる接続補足サービスを提供する、請求項２に記載の方法。
【請求項１０】
各々のアクセスは通信における異なる程度の帯域幅を提供する、請求項３に記載の方法。
【請求項１１】
各々のアクセスは通信における異なる程度のセキュリティに備える、請求項３に記載の方法。
【請求項１２】
各々のアクセスは異なる接続補足サービスを提供する、請求項３に記載の方法。
【請求項１３】
該ホーム・ネットワークはインターネット・プロトコル・ネットワークであり、該訪問先ネットワークは無線公衆セルラー・ベアラー・ネットワークである、請求項１に記載の方法。
【請求項１４】
該公衆セルラー・ベアラー・ネットワークは一般パケット無線システム・ネットワークである、請求項１３に記載の方法。
【請求項１５】
該ホーム・ネットワークはインターネット・プロトコル・ネットワークであり、該訪問先ネットワークはインターネット・サービス・プロバイダである、請求項１に記載の方法。
【請求項１６】
該ホーム・ネットワークはインターネット・プロトコル・ネットワークであり、該訪問先ネットワークは無線ローカルエリアネットワークである、請求項１に記載の方法。
【請求項１７】
該アクセスは、該加入者に許されることのできる複数の認可されたアクセスから選ばれる、請求項１に記載の方法。
【請求項１８】
該アクセスは、該加入者に許されることのできる複数の認可されたアクセスから選ばれる、請求項２に記載の方法。
【請求項１９】
該アクセスは、該加入者に許されることのできる複数の認可されたアクセスから選ばれる、請求項３に記載の方法。
【請求項２０】
該アクセスは、該加入者に許されることのできる複数の認可されたアクセスから選ばれる、請求項４に記載の方法。
【請求項２１】
該アクセスは、該加入者に許されることのできる複数の認可されたアクセスから選ばれる、請求項５に記載の方法。
【請求項２２】
該アクセスは、該加入者に許されることのできる複数の認可されたアクセスから選ばれる、請求項６に記載の方法。
【請求項２３】
該アクセスは、該加入者に許されることのできる複数の認可されたアクセスから選ばれる、請求項７に記載の方法。
【請求項２４】
該アクセスは、該加入者に許されることのできる複数の認可されたアクセスから選ばれる、請求項８に記載の方法。
【請求項２５】
該アクセスは、該加入者に許されることのできる複数の認可されたアクセスから選ばれる、請求項９に記載の方法。
【請求項２６】
該アクセスは、該加入者に許されることのできる複数の認可されたアクセスから選ばれる、請求項１０に記載の方法。
【請求項２７】
該アクセスは、該加入者に許されることのできる複数の認可されたアクセスから選ばれる、請求項１１に記載の方法。
【請求項２８】
該アクセスは、該加入者に許されることのできる複数の認可されたアクセスから選ばれる、請求項１２に記載の方法。
【請求項２９】
該アクセスは、該加入者に許されることのできる複数の認可されたアクセスから選ばれる、請求項１３に記載の方法。
【請求項３０】
該アクセスは、該加入者に許されることのできる複数の認可されたアクセスから選ばれる、請求項１５に記載の方法。
【請求項３１】
該アクセスは、該加入者に許されることのできる複数の認可されたアクセスから選ばれる、請求項１６に記載の方法。
【請求項３２】
該加入者の識別と該アクセスとを含むアプリケーション・レベル登録メッセージが加入者装置から訪問先ネットワーク・エンティティへの要求に応答して作られ；
該訪問先ネットワーク内のエンティティが該要求を受け取ったことに応答して、該ホーム・ネットワーク内のエンティティのアドレスが該訪問先ネットワークにおける経路指定分析から得られ；そして
該アプリケーション・レベル登録メッセージが該ホーム・ネットワーク内の該アドレスへ送られる、請求項１に記載の方法。
【請求項３３】
該ホーム・ネットワーク内のエンティティは、該アプリケーション・レベル登録メッセージの受け取りに応答して該加入者プロフィールを得る、請求項３２に記載の方法。
【請求項３４】
加入者に提供されるべきネットワークへのアクセスを各々定める複数の加入者プロフィールを蓄積するホーム・ネットワークと；
該ホーム・ネットワークに接続されている複数のネットワークと；
それを通して該加入者がいずれかのネットワークへのアクセスを得るところの該複数のネットワークのうちの訪問先の１つに接続されている加入者装置とを含んでおり；
該訪問先ネットワークへの該加入者装置の接続に応答して、該加入者の識別と該加入者に提供されるべきアクセスとが該ホーム・ネットワークへ送られ、該加入者に提供されるべき認可されたアクセスの加入者プロフィールが該ネットワークのうちの１つに蓄積され、任意のネットワークへの該加入者のアクセスが該加入者ネットワークを蓄積している該ネットワークのうちの１つにより該加入者に提供されるべきアクセスと蓄積されている加入者プロフィールとの比較に依存して制御されるようになっているシステム。
【請求項３５】
該加入者プロフィールを蓄積する該ホーム・ネットワーク内のネットワーク・エンティティを更に含む、請求項３４に記載のシステム。
【請求項３６】
該加入者プロフィールを蓄積する該訪問先ネットワーク内のネットワーク・エンティティを更に含む、請求項３４に記載のシステム。
【請求項３７】
ネットワークに登録する加入者のアクセスを制御する方法であって：
該加入者がネットワークに登録する間又はその後に、該加入者のホーム・ネットワークで該加入者の識別とアクセスとを提供し、該アクセスは該加入者が登録されているネットワークのうちの１つへのアクセスの識別を含む方法。
【請求項３８】
該ホーム・ネットワークでの該加入者の識別と該アクセスとの提供に応答して、該加入者に提供されるべき少なくとも該ネットワークへのアクセスを示す加入者プロフィールを蓄積し；そして
その蓄積された加入者プロフィールを、該加入者に提供されるサービスを制御するのに使用する、請求項３７に記載の方法。
【請求項３９】
該加入者に提供されるサービスの制御は該加入者が訪問先ネットワークに登録されている間に行われ、該ネットワークは、それから該加入者が該訪問先ネットワークにローミングしている間にサービスを得ることができるところのアクセス・ネットワークである、請求項３８に記載の方法。
【請求項４０】
該加入者に提供されるサービスの制御はコール制御エンティティの要求から行われる、請求項３９に記載の方法。
【請求項４１】
該加入者プロフィールを該ホーム・ネットワークに蓄積することを含む、請求項３７に記載の方法。
【請求項４２】
該加入者プロフィールを該ホーム・ネットワークに蓄積することを含む、請求項３９に記載の方法。
【請求項４３】
該加入者プロフィールを該訪問先ネットワークに蓄積することを含む、請求項３９に記載の方法。
【請求項４４】
該加入者の識別とアクセスとを送ることは、該加入者が登録されているネットワークを特定するアクセス・タイプ・インジケータの該訪問先ネットワークを通しての該ホーム・ネットワークへの伝送に応答して又はコール・サービング・エンティティからの要求に応答して行われる、請求項３７に記載の方法。
【請求項４５】
該加入者の識別とアクセスとを送ることは、該加入者が登録されているネットワークを特定するアクセス・タイプ・インジケータの該訪問先ネットワークを通しての該ホーム・ネットワークへの伝送に応答して又はコール・サービング・エンティティからの要求に応答して行われる、請求項３９に記載の方法。
【請求項４６】
該加入者の識別とアクセスとを送ることは、該加入者が登録されているネットワークを特定するアクセス・タイプ・インジケータの該訪問先ネットワークを通しての該ホーム・ネットワークへの伝送に応答して行われる、請求項４１に記載の方法。
【請求項４７】
該加入者の識別とアクセスとを送ることは、該加入者が登録されているネットワークを特定するアクセス・タイプ・インジケータの該訪問先ネットワークを通しての該ホーム・ネットワークへの伝送に応答して行われる、請求項４２に記載の方法。
【請求項４８】
該加入者プロフィールは、該加入者にサービスを提供するのに使われる一般サービス・データと該加入者の該ネットワークへの許されるアクセスに関するデータとを含む、請求項４３に記載の方法。
【請求項４９】
該加入者プロフィールは、該加入者にサービスを提供するのに使われる一般サービス・データと該加入者の該アクセス・ネットワークへの許されるアクセスに関するデータとを含む、請求項４４に記載の方法。
【請求項５０】
該加入者プロフィールは、該加入者にサービスを提供するのに使われる一般サービス・データと該加入者の該アクセス・ネットワークへの許されるアクセスに関するデータとを含む、請求項４５に記載の方法。
【請求項５１】
該加入者プロフィールは、該加入者にサービスを提供するのに使われる一般サービス・データと該加入者の該ネットワークへの許されるアクセスに関するデータとを含む、請求項４６に記載の方法。
【請求項５２】
該加入者プロフィールは、該加入者にサービスを提供するのに使われる一般サービス・データと該加入者の該アクセス・ネットワークへの許されるアクセスに関するデータとを含む、請求項４７に記載の方法。
【請求項５３】
該加入者プロフィールは、該加入者にサービスを提供するのに使われる一般サービス・データと該加入者の該アクセス・ネットワークへの許されるアクセスに関するデータとを含む、請求項４６に記載の方法。
【請求項５４】
該加入者プロフィールは、該加入者にサービスを提供するのに使われる一般サービス・データと該加入者の該アクセス・ネットワークへの許されるアクセスに関するデータとを含む、請求項４７に記載の方法。
【請求項５５】
アプリケーション・レベルのアクセスは該ネットワークのうちの１つに登録されている該加入者の装置から生じる、請求項４２に記載の方法。
【請求項５６】
該アクセスは、該訪問先ネットワークと該加入者が登録しているアクセス・ネットワークのうちの１つとの間にインターフェースを提供するエンティティから生じる、請求項４３に記載の方法。
【請求項５７】
該アクセスは、コール制御エンティティにより、該加入者が登録されているネットワークに関する該制御エンティティにより得られる情報に基づいて決定される、請求項４４に記載の方法。
【請求項５８】
該加入者の少なくとも１つの後の識別と該アクセスとが該ホーム・ネットワークで提供されたことに応答して、該ホーム・ネットワークは該加入者の他のアクセス・ネットワークへの登録の変更についての肯定応答を該訪問先ネットワークへ送る、請求項３９に記載の方法。
【請求項５９】
該アクセスは、該ホーム・ネットワークを通しての該加入者への通信の接続を制御するために該ホーム・ネットワークにより使用される、請求項３７に記載の方法。
【請求項６０】
該アクセスは、該ホーム・ネットワークを通しての該加入者への通信の接続を制御するために該ホーム・ネットワークにより使用される、請求項３９に記載の方法。
【請求項６１】
該アクセスは、該ホーム・ネットワークを通しての該加入者への通信の接続を制御するために該ホーム・ネットワークにより使用される、請求項４１に記載の方法。
【請求項６２】
該アクセスは、該ホーム・ネットワークを通しての該加入者への通信の接続を制御するために該ホーム・ネットワークにより使用される、請求項４４に記載の方法。
【請求項６３】
該アクセスは、該ホーム・ネットワークを通しての該加入者への通信の接続を制御するために該ホーム・ネットワークにより使用される、請求項４８に記載の方法。
【請求項６４】
該アクセスは、該ホーム・ネットワークを通しての該加入者への通信の接続を制御するために該ホーム・ネットワークにより使用される、請求項５５に記載の方法。
【請求項６５】
該アクセスは、該ホーム・ネットワークを通しての該加入者への通信の接続を制御するために該ホーム・ネットワークにより使用される、請求項５６に記載の方法。
【請求項６６】
該アクセスは、該ホーム・ネットワークを通しての該加入者への通信の接続を制御するために該ホーム・ネットワークにより使用される、請求項５７に記載の方法。
【請求項６７】
該アクセスは、該ホーム・ネットワークを通しての該加入者への通信の接続を制御するために該ホーム・ネットワークにより使用される、請求項５８に記載の方法。
【請求項６８】
ネットワークに登録する加入者のアクセスを制御する方法であって：
ホーム・ネットワークで該加入者の識別を提供し；
該加入者の該識別の提供に応答して、該加入者に提供されるべき少なくとも該ネットワークへのアクセスの加入者プロフィールを蓄積し；そして
該加入者に提供されるサービスを制御するのにその蓄積された加入者プロフィールを使用することを含む方法。
【請求項６９】
該加入者に提供されるサービスの制御は該加入者が訪問先ネットワークに登録されている間に行われ、該ネットワークは、該加入者が該訪問先ネットワークに登録されている間にサービスをそれから得ることができるところのアクセス・ネットワークである、請求項６８に記載の方法。
【請求項７０】
該加入者プロフィールを該ホーム・ネットワークに蓄積することを含む、請求項６８に記載の方法。
【請求項７１】
該加入者プロフィールを該ホーム・ネットワークに蓄積することを含む、請求項６９に記載の方法。
【請求項７２】
該加入者プロフィールを該訪問先ネットワークに蓄積することを含む、請求項６９に記載の方法。
【請求項７３】
該加入者の識別の提供は、アクセス・ネットワークを特定する該ホーム・ネットワークへのアクセス・タイプ・インジケータの伝送に応答して行われる、請求項６９に記載の方法。
【請求項７４】
該加入者の識別の提供は、アクセス・ネットワークを特定する該ホーム・ネットワークへのアクセス・タイプ・インジケータの伝送に応答して行われる、請求項７０に記載の方法。
【請求項７５】
該アクセスは、該ネットワークのうちの１つに登録されている加入者の装置から生じる、請求項７１に記載の方法。
【請求項７６】
該アクセスは、該訪問先ネットワークと該アクセス・ネットワークのうちの１つとの間のインターフェースから生じる、請求項７２に記載の方法。
【請求項７７】
該アクセスは、コール制御エンティティにより、該ネットワークに関する該制御エンティティにより得られる情報に基づいて決定される、請求項７１に記載の方法。
【請求項７８】
加入者が登録することのできるネットワークと；
複数の加入者プロフィールが蓄積されているホーム・ネットワークと、該プロフィールの各々は加入者に該ネットワークに登録されている間に提供されるべきアクセスを定め；
該ネットワークに、該加入者がそれに登録されている間、接続される加入者装置とを含み；
該ネットワークのうちの１つへの該加入者装置の接続に応答して、少なくとも該加入者の識別が該ホーム・ネットワークで提供され、少なくとも該ネットワークへの該加入者に提供されるべきアクセスの加入者プロフィールが蓄積され、その蓄積された加入者プロフィールは該加入者に提供されるサービスを制御するのに使われるようになっているシステム。
【請求項７９】
該加入者に提供されるサービスの制御は該加入者が訪問先ネットワークに登録されている間に行われ、該ネットワークは該加入者が該訪問先ネットワークに登録されている間にそれからサービスを得ることができるところのアクセス・ネットワークである、請求項７８に記載のシステム。
【請求項８０】
該加入者プロフィールを蓄積する訪問先ネットワーク内の記憶装置を含む、請求項７８に記載のシステム。
【請求項８１】
該加入者プロフィールを蓄積する該訪問先ネットワーク内の記憶装置を含む、請求項７９に記載のシステム。
【請求項８２】
該加入者が登録されている該ネットワークのうちの１つへのアクセスの識別を含むアクセスが該訪問先ネットワークから該ホーム・ネットワークへ送られ、該加入者プロフィールの該蓄積は該ホーム・ネットワークにおけるアクセスの識別に応答する、請求項７９に記載のシステム。
【請求項８３】
蓄積された加入者プロフィールは、該訪問先ネットワークにより、該加入者に提供されるサービスを制御するのに使われる、請求項７９に記載のシステム。
【請求項８４】
該アクセスはアプリケーション・レベル・アクセスである、請求項１に記載の方法。
【発明の詳細な説明】
【技術分野】
【０００１】
本発明は、加入者のネットワークへのアクセスのレベルまたはタイプを制御するシステム及び方法に関する。
【背景技術】
【０００２】
訪問先のネットワークを通してのホーム・ネットワークへのアクセスは単一レベルのアクセスに限られている。その結果として、その機能性が単一のレベルまたはタイプのアクセスに限定されているために加入者装置はホーム・ネットワークに接続されている多数の訪問先ネットワークに持ち運びできるものではない。本質的に、加入者がそれを通してホーム・ネットワークへのアクセスを得るところの各々の訪問先ネットワークは、単一の加入者プロフィールに限定されていて、訪問先ネットワークを通してのホーム・ネットワークへの加入者の多様なタイプの接続性を容易にするための多数の加入者プロフィールに対する備えを持っていない。
【０００３】
ホーム・ネットワーク或いは訪問先ネットワークの制御下でのいろいろなタイプのアクセス・ネットワーク間でのシームレス・ローミングも将来の移動通信及び固定ネットワークでの必須の必要条件である。いろいろなタイプのアクセス技術間をローミングしている間、ボイス・オーバー・インターネットプロトコル／インターネットプロトコル（ＶｏＩＰ／ＩＰ）マルチメディア・サービスを提供するエンティティは、マルチメディア・サービスを提供するネットワークがホーム・ネットワークであるか訪問先ネットワークであるかに関わらずに同じネットワークにとどまることができる。その様なエンティティＶｏＩＰ／ＩＰマルチメディア・ネットワークの例は、例えばコール状態制御機能（ＣＳＣＦ）、ゲートキーパー、ＳＩＰサーバーを含む。
【０００４】
いろいろなタイプのアクセス・ネットワークが、サービス品質（ＱｏＳ）（最大帯域幅、遅延、など）など、それ自身の特性を持っており、また利用できるサービスの集合には違いがあり得る。アクセス・ネットワークは拡散的な挙動（例えば場所に基づくサービス）を有することができる。
【０００５】
もう一つの問題は、もし現在使用されているアクセス・ネットワークがその特定のサービスまたは必要とされている最低ＱｏＳを支援しないのであれば、加入者加入情報が３ＧＰＰ Ｒ００でネットワークに置かれているエンティティ（例えば、ユーザー・モビリティー・サーバー）（ＵＭＳ）が加入者への終端通信メッセージを選別できるようにアクセス・ネットワーク・タイプを知らなければならないことである。
【発明の開示】
【発明が解決しようとする課題】
【０００６】
ネットワークへの加入者のアクセスを制御するシステム及び方法を提供する。
【課題を解決するための手段】
【０００７】
本発明は、任意のネットワークへの加入者のアクセスを制御するシステム及び方法である。そのアクセスは、アプリケーション・レベルのアクセスであって良い。アプリケーション・レベル登録の際には、ホーム・ネットワークに、または該ホーム・ネットワークに接続されている複数の訪問先ネットワークのうちの１つである訪問先ネットワークに、接続されている加入者装置からアプリケーション・レベル・メッセージが送られる。訪問先ネットワークは、ホーム・ネットワークに直接接続されている複数の訪問先ネットワークのうちの１つであっても良く、或いは訪問先ネットワークを通してホーム・ネットワークに接続されている複数のアクセス・ネットワークのうちの１つであっても良い。アプリケーション・レベル・メッセージは、加入者アイデンティティーと、ホーム・ネットワーク、複数のネットワークのうちのいずれか１つ又は加入者が接続されることのできる他のネットワークであって良い任意のネットワークへのアクセスのレベルとを含む。アクセスのレベルは、加入者が加入者装置を接続することのできる任意のネットワークにより利用され得る他のネットワークへのアクセスのレベルの複数の選択肢のうちの１つを一義的に特定する複数のビットから成るアクセス・モードＩＤの形であって良い。
本発明に従ってホーム・ネットワークに直接接続されるネットワークは、本質的に多様であって、限定無しに、一般パケット無線システム（ＧＰＲＳ）、有線インターネット・サービス・プロバイダ（ＩＳＰ）、或いは、限定無しに社内ローカルエリアネットワークなどの無線ローカルエリアネットワーク（ＬＡＮ）などの公衆セルラー訪問先ネットワークであって良い。ホーム・ネットワークに直接接続される訪問先ネットワークのタイプに関わらずに、アプリケーション・レベル登録メッセージは、訪問先ネットワーク内のエンティティからホーム・ネットワーク内のエンティティのアドレスへ送られるが、そのアドレスは訪問先ネットワーク内の他のネットワーク・エンティティから得られる。アプリケーション・レベル登録メッセージを受け取るホーム・ネットワーク内のエンティティは、加入者の受け取られた識別とアクセスのレベルまたはタイプとを使用して、訪問先ネットワーク及び任意のネットワーク内のユーザー装置への接続性をアプリケーション・レベル登録メッセージ中の明示されているアクセスのレベルまたはタイプに従って提供するために使用されるべき加入者プロフィールをホーム・ネットワーク内の記憶装置から取り出す。登録メッセージのアプリケーション・レベルに含まれているアクセスのレベルまたはタイプの識別は、アクセスのレベルまたはタイプを明示する加入者プロフィールを指すポインタであって、記憶装置から取り出されると、ホーム・ネットワーク内のまたは訪問先ネットワーク内のネットワーク・エンティティに蓄積される。アクセスされた加入者プロフィールは、ホーム・ネットワークに蓄積されて訪問先ネットワーク内のプロキシエンティティを通してアクセスされ、或いは、ホーム・ネットワークから、それからアプリケーション・レベル登録メッセージが送信されたところの訪問先ネットワーク内のエンティティへ送られる。その様なエンティティは、限定無しに、プロキシサーバー、ゲートウェイまたはサービング・コール状態制御機能（ｓ−ＣＳＣＦ）である。ホーム・ネットワークまたは訪問先ネットワークにおいて加入者プロフィールを蓄積するエンティティは、訪問先ネットワーク及びホーム・ネットワークの加入者ユーザー装置のための良く知られている手続に従って通信を制御するように機能する。もし訪問先ネットワークが公衆セルラー訪問先ネットワークであれば、加入者プロフィールを受け取って蓄積するエンティティはｓ−ＣＳＣＦであって良く；もし訪問先ネットワークが有線ＩＳＰまたは有線無線Ｎであれば、加入者プロフィールを受け取る訪問先ネットワーク内のエンティティは、セッション開始プロトコル（ＳＩＰ）を利用するプロキシサーバーまたはＨ．３２３規格に従うゲートキーパーであって良い。アプリケーション・レベル登録メッセージが宛てられているホーム・ネットワーク内のアドレスを解明する訪問先ネットワーク内のエンティティはドメイン・ネーム・サーバー（ＤＮＳ）であって良い。
【０００８】
多様なタイプの接続性を提供するためにいろいろなレベルまたはタイプのアクセスが使用されることができる。アクセスはアプリケーション・レベル・アクセスであることができる。例えば、多様なタイプの接続性は、各々の異なるアクセスのための通信における異なる程度の帯域幅、各々の異なるアクセスのための異なる程度の秘密通信、または各々の異なるアクセスのための異なる支援補足サービスを提供することができ、その補足サービスは、その限定無しに多様な電話サービスなど、本質的に多様であることができる。
【０００９】
加入者にサービスを提供する訪問先ネットワークを通してホーム・ネットワークに接続されるネットワークは、限定無しにＧＰＲＳ、無線ローカルエリアネットワーク（ＷＬＡＮ）またはＤＳＬネットワークなどのアクセス・ネットワークであることができる。制御ネットワーク内のコール制御エンティティは、登録時に、加入者登録が行われるアクセス・ネットワークのタイプを知る必要がある。コール制御エンティティに提供されるアクセス・タイプ・インジケータはアクセス・ネットワークの必要な識別を提供する。アクセス・タイプ・インジケータは、直接に、または訪問先ネットワークを通して間接的に、加入者装置、加入者装置及びアクセス・ネットワークの間のインターフェースから、または限定無しにパケット特性などのアクセス・ネットワークの特性に基づくコール制御エンティティの決定により、ホーム・ネットワークに提供されることができる。
【００１０】
加入者プロフィールの作成とホーム・ネットワークまたは制御エンティティにおけるその使用とは多くの方法で達成されることができる。限定無しに、アクセス・ネットワークにおける加入者登録は、登録が行われたアクセス・ネットワークのタイプを特定するアクセス・タイプ・インジケータをホーム・ネットワークに直接にまたは訪問先ネットワークを通して送ることにより達成されることができる。アクセス・タイプ・インジケータの出所は、加入者装置または加入者装置と加入者が登録されているアクセス・ネットワークとの間のインターフェースにより明示的に提供されるか、または、通信の通知を分析して制御エンティティへのアクセス・ネットワークを形成する訪問先ネットワーク内の制御エンティティから暗示的に提供されることができる。その後、ホーム・ネットワークは、一般サービス部分と、加入者がローミングすることのあるアクセス・タイプ・ネットワークの特性に特有の部分とである２つの部分を有することのある加入者プロフィールを作成するかまたはそれにアクセスする。
【００１１】
本発明の、ネットワークへの加入者のアクセスを制御する方法は、加入者の識別と、加入者に提供されるべきアクセスとをホーム・ネットワークに接続されている複数のネットワークのうちの訪問先ネットワークからホーム・ネットワークへ送ることと；加入者の識別と加入者に提供されるべきアクセスとに応答して加入者に提供されるべき認可されたアクセスの加入者プロフィールを蓄積することと；加入者に提供されるべきサービスと蓄積された加入者プロフィールとの比較により任意のネットワークへの加入者のアクセスを制御することとを含む。アクセスはアプリケーション・レベルのアクセスであることができる。加入者プロフィールの蓄積はホーム・ネットワークにあっても良く、或いは訪問先ネットワークにあっても良い。各アクセスは、通信の異なる程度の帯域幅；各々の異なるアクセスのための通信の異なる程度のセキュリティ；或いは各々の異なるアクセスのための異なる支援補足サービスを提供することができる。ホーム・ネットワークはインターネット・プロトコル・ネットワークであることができ、訪問先ネットワークは無線公衆セルラー・ベアラー・ネットワークであることができる。公衆セルラー・ベアラー・ネットワークは一般パケット無線システム・ネットワークであることができる。ホーム・ネットワークはインターネット・プロトコル・ネットワークであることができ、訪問先ネットワークはインターネット・サービス・プロバイダであることができる。ホーム・ネットワークはインターネット・プロトコル・ネットワークであることができ、訪問先ネットワークは無線ローカルエリアネットワークであることができる。認可されたアクセスは、複数の接続されているネットワークとホーム・ネットワークとの間で加入者に認められることのできる複数の認可されたアクセスのうちから選択されることができる。加入者の識別とアクセスとを含むアプリケーション・レベル登録メッセージは加入者装置から訪問先ネットワーク・エンティティへの要求に応答して作成されることができ；訪問先ネットワーク内のエンティティがその要求を受け取ったことに応答して、ホーム・ネットワーク内のエンティティのアドレスが訪問先ネットワークにおける経路指定分析から得られることができ；そしてアプリケーション・レベル登録メッセージがホーム・ネットワーク内の該アドレスへ送られることができる。ホーム・ネットワークのエンティティは、アプリケーション・レベル登録メッセージの受け取りに応答して加入者プロフィールを得ることができる。
【００１２】
本発明のシステムは、加入者に提供されるべきネットワークへのアクセスを各々定める複数の加入者プロフィールを蓄積するホーム・ネットワークと；ホーム・ネットワークに接続されている複数のネットワークと；それを通して加入者が任意のネットワークへのアクセスを得るところの複数のネットワークのうちの訪問先ネットワークに接続されている加入者装置とを含み；訪問先ネットワークへの加入者装置の接続に応答して、加入者の識別と加入者に提供されるべきアクセスとがホーム・ネットワークへ送られ、加入者に提供されるべきアクセスの加入者プロフィールが該ネットワークのうちの１つに蓄積され、任意のネットワークへの加入者のアクセスは、加入者に提供されるべきサービスと蓄積された加入者プロフィールとの比較により加入者ネットワークを蓄積しているネットワークのうちの１つにより制御される。ホーム・ネットワーク内のまたは訪問先ネットワーク内のネットワーク・エンティティが加入者プロフィールを蓄積することができる。
【００１３】
本発明の、ネットワークをローミングする加入者のアクセスを制御する方法は、加入者の識別とホーム・ネットワークにおける加入者のアクセスとを提供することを含み、そのアクセスは加入者が登録されているネットワークのうちの１つへのアクセスの識別を含み；加入者の識別とホーム・ネットワークにおけるアクセスとの提供に応答して、少なくとも該ネットワークへの加入者に提供されるべきアクセスを示す加入者プロフィールを蓄積することを含み；加入者に提供されるサービスを制御するときに、蓄積された加入者プロフィールを使用することを含む。加入者に提供されるサービスの制御は加入者が訪問先ネットワークでローミングしている間に行われることができ、ネットワークは、加入者が訪問先ネットワークでローミングしている間にそれからサービスを得ることができるところのアクセス・ネットワークであることができる。加入者プロフィールはホーム・ネットワークにまたは訪問先ネットワークに蓄積されることができる。加入者の識別とアクセスとを送ることは、加入者が登録されているネットワークを特定するアクセス・タイプ・インジケータの訪問先ネットワークを通してのホーム・ネットワークへの送信に応答して行われることができる。加入者プロフィールは、加入者にサービスを提供するのに使われる一般サービス・データとネットワークへの加入者の許されるアクセスに関するデータとを含むことができる。アクセスはネットワークのうちの１つに登録されている加入者の装置から生じることができる。アクセスは、訪問先ネットワークと、加入者が登録されているアクセス・ネットワークのうちの１つとの間にインターフェースを提供するネットワーク・エンティティから生じることができる。アクセスは、コール制御エンティティにより、加入者が登録されているネットワークに関する該制御エンティティにより得られた情報に基づいて、決定されることができる。加入者の少なくとも１つの後の識別とアクセスとがホーム・ネットワークで提供されることに応答して、ホーム・ネットワークは他のアクセス・ネットワークへの加入者の登録の変更の肯定応答を訪問先ネットワークに送ることができる。アクセスは、ホーム・ネットワークを通しての加入者への通信の接続性を制御するためにホーム・ネットワークにより使用されることができる。
【００１４】
本発明の、ネットワークに登録する加入者のアクセスを制御する方法は、ホーム・ネットワークにおいて加入者の識別を提供し；加入者の識別の提供に応答して、少なくとも該ネットワークへの加入者に提供されるべきアクセスの加入者プロフィールを蓄積し；その蓄積された加入者プロフィールを加入者に提供されるサービスを制御するのに使用することを含む。加入者に提供されるサービスの制御は加入者が訪問先ネットワークに登録されている間に行われることができ、ネットワークは加入者が訪問先ネットワークに登録されている間にそれからサービスを得ることができるところのアクセス・ネットワークであることができる。加入者プロフィールの蓄積はホーム・ネットワークに或いは訪問先ネットワークにあることができる。加入者の識別の提供は、加入者が登録されているアクセス・ネットワークを特定するホーム・ネットワークへのアクセス・タイプ・インジケータの送信に応答して行われることができる。アクセスは、ネットワークのうちの１つに登録されている加入者の装置から発することができる。アクセスは、訪問先ネットワークと、加入者が登録されているアクセス・ネットワークのうちの１つとの間にインターフェースを提供するネットワーク・エンティティから発することができる。アクセスは、コール制御エンティティにより、加入者が登録されているネットワークに関する該制御エンティティにより得られた情報に基づいて、決定されることができる。
【００１５】
本発明のシステムは、加入者にネットワークに登録されている間に提供されるべきアクセスのアプリケーション・レベルを各々定める複数の加入者プロフィールを蓄積するホーム・ネットワークと；加入者が登録することのできるネットワークと；加入者がそれに登録されている間に該ネットワークに接続される少なくとも１つの加入者装置とを含み；該ネットワークのうちの１つへの該加入者装置の接続に応答して少なくとも該加入者の識別が該ホーム・ネットワークにおいて提供され、少なくとも該ネットワークへの該加入者に提供されるべき認可されたアクセスの加入者プロフィールが蓄積され、その蓄積された加入者プロフィールは該加入者に提供されるサービスを制御するのに使用される。加入者に提供されるサービスの制御は該加入者が訪問先ネットワークに登録されている間に行われることができ、ネットワークは加入者が該訪問先ネットワークにローミングしている間にそれからサービスを得ることができるところのアクセス・ネットワークであることができる。訪問先ネットワークの記憶装置は加入者プロフィールを蓄積することができる。加入者が登録されているネットワークのうちの１つへのアクセスの識別を含むアクセスが訪問先ネットワークからホーム・ネットワークへ送られることができ、該加入者プロフィールの蓄積は該ホーム・ネットワークにおけるアクセスの該識別に応答して行われることができる。蓄積された加入者プロフィールは、訪問先ネットワークにより、加入者に提供されるサービスを制御するのに使用されることができる。
【００１６】
同様の部分は図面全体にわたって同様に特定されている。
【発明を実施するための最良の形態】
【００１７】
図１は、ホーム・ネットワーク１０に直接接続されている複数のネットワークの第１実施態様９を図解している。限定無しに、図１に図解されているように、ＧＰＲＳなどの公衆セルラー訪問先（訪問先）ネットワーク１２、有線ＩＳＰ１４及び社内無線ＬＡＮ１６であることができる接続されている複数のネットワーク。図解されているように、特定の加入者装置１８の接続は、公衆セルラー訪問先ネットワーク１２、有線ＩＳＰ１４又は社内無線ＬＡＮ１６とホーム・ネットワーク１０との間の“ケース１”、“ケース２”及び“ケース３”としてそれぞれ特定されている。この３つのケースの各々において、加入者の識別と加入者に提供されるべき異なるアクセス・モードについての異なるプロフィールとを含むホーム加入者サーバー（ＨＳＳ）２０又はユーザー・モビリティー・サーバー（ＵＭＳ）に接続されている複数のネットワーク１２，１４及び１６訪問先の１つの、ｓ−ＣＳＣＦ２２又はプロキシサーバー／ゲートキーパー２４などのエンティティからアプリケーション・レベル登録メッセージが送られる。アプリケーション・レベル登録メッセージは、加入者装置１８のＩＭＳＩ（これに限定はされない）などの加入者の識別と、複数ビットアクセス・モード識別として符号化されて訪問先ネットワークのネットワーク・エンティティ２２又は２４からホーム・ネットワーク１０のＨＳＳ２０に送られるアクセスのレベル又はタイプとを含んでいる。公衆セルラー訪問先ネットワーク１２においてはアプリケーション・レベル登録メッセージを送るエンティティは、周知されているｓ−ＣＳＣＦ２２である；有線ＩＳＰではアプリケーション・レベル登録メッセージを送るエンティティは良く知られているプロキシサーバー／ゲートキーパー２４であり、ＳＩＰプロトコルを使用するプロキシサーバー又はゲートキーパーはＨ．３２３規格に従う；社内無線ＬＡＮ１６でもネットワーク・エンティティはプロキシサーバー／ゲートキーパー２４である。
【００１８】
ケース１の作用を次のように大要の見地から説明する。加入者は、加入者装置１８を利用して、公衆セルラー訪問先ネットワーク１２を通してホーム・ネットワーク１０にアプリケーション・レベル登録を要求するためにｓ−ＣＳＣＦ２２にメッセージ“１”を送る。ｓ−ＣＳＣＦ２２はメッセージ“２”をＤＮＳ２６に送り、これは、ｓ−ＣＳＣＦ２２からアプリケーション・レベル登録メッセージが送られるべきＨＳＳ２０のアドレスを解明する。そのアドレスはＤＮＳ２６からメッセージ“３”としてｓ−ＣＳＣＦ２２に戻される。その後ｓ−ＣＳＣＦ２２はメッセージ“４”をＨＳＳ２０に送り、それは加入者識別と、求められている接続のアプリケーション・レベルの識別とを含んでいる。ＨＳＳ２０は、記憶装置２８から、ＨＳＳ２０により受け取られるメッセージで特定される加入者に関連するアクセスの認可されたタイプ又はレベルの加入者プロフィールを引き出す。記憶装置２８は、どの様なホーム・ネットワーク・エンティティであっても良く、ＨＳＳ２０の一部分であっても良い。記憶装置２８は、接続されているネットワーク１２、１４及び１６の各々、又は通信サービスを得るために加入者が接続され得る図１に図解されているネットワーク以外の他のネットワークを含む任意の他のネットワークについて、アクセスの認可されたレベル又はタイプを定める複数の選択可能な加入者プロフィールのうちの１つを蓄積する。その後、コール制御がこの実施態様において訪問先ネットワークに置かれることをホーム・ネットワークが決定するとき、ネットワーク・エンティティ２０は、アクセスの認可されたレベル又はタイプを含む加入者プロフィールを含むメッセージ“５”をｓ−ＣＳＣＦ２２へその中に蓄積させるために送る。その引き出された加入者プロフィールは、ｓ−ＣＳＣＦにより訪問先ネットワーク１２を通じて、加入者の如何なるタイプの通信接続であっても良い要求されたタイプの接続に含まれるサービスのレベル又はタイプと比較される。訪問先ネットワーク１２における加入者のアクセスの制御は、訪問先ネットワーク１２を通じて加入者を接続しようとする試みにより加入者に提供されることが求められているサービスのレベル又はタイプの、アクセスの認可されたレベル又はタイプの蓄積されている加入者プロフィールとの比較に依存する。
【００１９】
ケース２は、有線ＩＳＰ１４の訪問先ネットワーク・エンティティが公衆セルラー訪問先ネットワーク１２のｓ−ＣＳＣＦ２２の代わりにプロキシサーバー／ゲートキーパー２４であることを除いて、その通信メッセージ“１”−“６”がケース１に関して説明されたのと同じ性質であって、ケース１と類似的に作用する。
【００２０】
ケース３は、無線ＬＡＮ１６の訪問先ネットワーク・エンティティが公衆セルラー訪問先ネットワーク１２のｓ−ＣＳＣＦ２２の代わりにプロキシサーバー／ゲートキーパー２４であることを除いて、その通信メッセージ“１”−“６”がケース１に関して説明されたのと同じ性質であって、ケース１と類似的に作用する。
【００２１】
加入者装置１８を通して加入者と任意の接続されているネットワークとの間での通信に利用できるアクセスのレベル又はタイプの加入者プロフィールは本質的に多様である。例えば、限定無しに、加入者プロフィールは、各々、各々の異なるアクセスについて異なる程度の通信帯域幅を提供する異なるレベル又はタイプのアクセス；各々の異なるアクセスについての各々の異なるアクセス・モード又は補足サービスの異なる接続のための異なる程度の通信セキュリティを特定することができる。例えば、加入者装置と訪問先ネットワーク又はホーム・ネットワークとの間の接続のためのいろいろな帯域幅の使用は、加入者に利用できる通信の認可された費用、加入者装置の機能又はネットワーク条件に依存することができる。例えば、セキュリティ目的のためのいろいろな程度のアクセスは加入者、ネットワーク又は加入者装置に依存することができる。加入者により要求され又は加入者に割り当てられることのあるアクセスのタイプ又はレベルが多様であることの結果として、いろいろなネットワーク１２、１４及び１６又は図１に図解されていないネットワークを含む任意の他の接続されているネットワークを通していろいろなタイプの加入者装置１８を接続するときにいろいろなタイプの接続サービスを加入者に提供することが可能である。
【００２２】
図２及び３は、ホーム・ネットワーク１０に接続されている訪問先ネットワークとして機能する公衆セルラー訪問先ネットワークの第１及び第２の実施態様についての詳細なコール・フローを図解している。図２及び３の差異は、図３では通信を制御するｓ−ＣＳＣＦがホーム・ネットワークに常駐し、ホーム・ネットワークのｓ−ＣＳＣＦ内のアクセスのレベル又はタイプの加入者プロフィールの記憶装置と訪問先ネットワークとの間の通信のために接続を提供するときに中間エンティティとして機能するｐ（プロキシ）−ＣＳＣＦが訪問先ネットワーク１２に常駐することである。本質的にｐ−ＣＳＣＦは訪問先ネットワークにおいてプロキシコール状態制御機能として作用し、現実のコール状態制御機能はホーム・ネットワーク１０内のｓ−ＣＳＣＦにより実行される。
【００２３】
図２を参照すると、輸送レベル登録手続とシグナリング・パケットデータ・プロトコル（ＰＤＰ）コンテキスト確立とは、概してＧＰＲＳなどの公衆セルラー・ネットワークのための従来技術の手続に従うので手短に説明するだけにする。
【００２４】
図２の在来の通信は次のように説明される：通信は、“ａ”で添付されている要求から始まり、それは加入者装置からサービングＧＰＲＳ支援ノードに送られるユーザー装置ＩＭＳＩを含む。その後、“ｂ”で、ホーム・ネットワーク１０のＨＳＳ２０のアドレスを得るためにＩＭＳＩ分析が行われる。次の操作“ｃ”はＵＥとＨＳＳ２０との間の双方向通信により図解されているようにＧＰＲＳ認証である。“ｄ”において通信メッセージがＳＧＳＮからＨＳＳ２０へ送られる。ＨＳＳ２０は“ｆ”で挿入加入者データ・メッセージでＳＧＳＮに応答する。ＳＧＳＮは“ｇ”でＨＳＳに対して挿入加入者データ肯定応答で応答する。ＨＳＳ２０は“ｈ”で更新位置応答で応答する。ＳＧＳＮは“ｉ”で添付受け入れをＵＥへ送る。ＵＥは“ｊ”で起動ＰＤＰコンテキスト要求をＳＧＳＮへ送る。ＳＧＳＮは“ｋ”でＰＤＰコンテキスト要求を作成し、それはゲートウェイＧＰＲＳ支援ノードへ送られる。ＳＧＳＮは“ｌ”で作成ＰＤＰコンテキスト応答を送る。ＳＧＳＮは“ｍ”で起動ＰＤＰコンテキスト受け入れをＵＥへ送る。ＵＥは“ｏ”でサービス検索メッセージを訪問先のＣＳＣＦ位置サーバー（ＶＬＳ）へ送る。このシーケンスは、輸送レベル登録及びシグナリングＰＤＰコンテキスト起動を含む。
【００２５】
ステップ“１”−“６”に関係するアプリケーション・レベル登録は、図１を参照して前述されたステップ１−６に従う。各々の新しいアプリケーション・レベル登録メッセージについて、ｓ−ＣＳＣＦは、アプリケーション・レベル登録メッセージに応答して取り出された加入者プロフィールと関連づけられる。各々の新しいアプリケーション・レベル登録メッセージで、前のｓ−ＣＳＣＦは停止される。これは図２の“登録解除（．．， ＡＬＳＩ，．．）”により特定される。加入者プロフィールを訪問先ネットワークのｓ−ＣＳＣＦへその中に蓄積させるために送ることは、該ネットワークへの加入者のアクセスを制御するために加入者に提供されるべきサービスのレベル又はタイプと蓄積されている加入者プロフィールとの比較のために使用される加入者プロフィールをｓ−ＣＳＣＦに提供し、それは、アクセスの該レベル又はタイプが該加入者プロフィールに含まれているアクセスの蓄積されているレベル又はタイプを上回らないということを該比較がもたらすか否かにより許され又は拒絶される。図解されているように、ステップ“６”は、許される認可についての標準的ＳＩＰ記号である“２００ＯＫ”によりステップ６で特定される接続を持つために加入者装置の認可を示す。
【００２６】
図３は、前述したように、ｓ−ＣＳＣＦがホーム・ネットワーク１０に常駐していてｐ−ＣＳＣＦが訪問先ネットワークに常駐し、これを通してアプリケーション・レベル登録メッセージに関わる通信がＵＥとホーム・ネットワーク１０のＨＳＳ２０との間で経路指定されることを除いて、図２に類似している。ｐ−ＣＳＣＦが訪問先ネットワーク１２に常駐している結果として、“５”として特定されている“［ＳＩＰ］ＣＳＣＦ割り当て”及び“６”として特定されている“［ＳＩＰ］ＣＳＣＦ割り当てＡｃｋ”の追加メッセージが必要とされるけれども、それ以外は通信メッセージは図２と同一である。メッセージ５及び６は、ホーム・ネットワークにｓ−ＣＳＣＦを割り当て、加入者プロフィールをｓ−ＣＳＣＦにダウンロードするためにＨＳＳ２０により使用される。
【００２７】
図４は、周知されている輸送レベル登録プロセスが確立されている状態での有線ＩＳＰ１４についての通信のシーケンスを図解している。通信メッセージ“１”−“６”は、ＨＳＳ及び旧ＳＧＳＮ及びｓ−ＣＳＣＦ／プロキシサーバー／ゲートキーパーのうちの古い方の１つの間の登録解除プロセスが前のアプリケーション・レベル登録メッセージに関わって図解されていることを除いて、図１と一致する。通信メッセージ“１”−“６”は、プロキシサーバーが、それを通してアプリケーション・レベル登録メッセージ通信が経路指定され更に引き出された加入者プロフィールを蓄積するところの有線ＩＳＰ１４内のエンティティであることを除いて、図２及び３の通信メッセージと類似している。
【００２８】
図５は、社内無線ＬＡＮ１６とホーム・ネットワーク１０との間の通信のシーケンスを図解している。周知されている輸送レベル登録プロセスが確立される。通信メッセージ“１”−“６”は、ＨＳＳ及び旧ＳＧＳＮ及びｓ−ＣＳＣＦ／プロキシサーバー／ゲートキーパーのうちの古い方の１つの間の登録解除プロセスが前のアプリケーション・レベル登録メッセージに関わって図解されていることを除いて、図１と一致する。
【００２９】
図６は、訪問先ネットワーク１０２を通してホーム・ネットワーク１０４に接続されている複数のネットワークの第２実施態様１００を図解している。この複数のネットワークは、限定無しに、図解されているようにＧＰＲＳネットワーク１０６、無線ローカルエリアネットワーク（ＷＬＡＮ）１０８、又はＤＳＬネットワーク１１０であることのできるアクセス・タイプ・ネットワークであることができる。実施態様１００は、加入者装置１１２が図１のホーム・ネットワーク１０と概して同じ機能を実行するホーム・ネットワーク１０４への訪問先ネットワーク１０２を通しての接続によりアクセス・ネットワーク１０６、１０８及び１１０に登録される点において図１の実施態様９とは異なる。アクセス・ネットワーク１０６、１０８及び１１０での登録の間の加入者のローミングは点線１１４により示されている。実施態様１００では、加入者装置１１２は、知られている輸送レベル登録メッセージと、訪問先ネットワーク１０２のＣＳＣＦエンティティ１１８に伝えられるアプリケーション・レベル登録メッセージ１１６とを作る。アプリケーション・レベル登録メッセージ１１６は、少なくとも加入者の識別を提供し、且つ、後述する２つの実施態様においては、ＣＳＣＦエンティティ１１８に、それからホーム・ネットワーク１０４のＨＳＳ又はＵＭＳエンティティ１２０に送られるアクセスのレベル又はタイプを提供する。ＣＳＣＦ１１８は、メッセージ、例えばＳＩＰ登録メッセージ１２２をホーム・ネットワーク１０４のＨＳＳ又はＵＭＳ１２０に送る。更新位置メッセージ１２２は、ホーム・ネットワーク１０４が訪問先ネットワーク１０２を通して通信メッセージを加入者が登録されている特定のアクセス・ネットワーク１０６、１０８又は１１０へ発送することを可能にするために、加入者装置識別と加入者装置１１２が登録されている特定のアクセス・ネットワーク１０６、１０８又は１１０とをＨＳＳ又はＵＭＳ１２０に知らせる。後述する２つの実施態様における加入者装置１１２の位置の更新に加えて、加入者が登録されているアクセス・ネットワークのタイプを特定するアクセス・タイプ・インジケータ（ＡＴＩ）がＣＳＣＦエンティティ１１８からＨＳＳ又はＵＭＳ１２０へ送られる。このＡＴＩの内容は、ＨＳＳ又はＵＭＳが例えば記憶装置１２３に蓄積されている加入者プロフィールに基づいてアクセス・ネットワーク１０６、１０８及び１１０のうちの１つで終わる通信メッセージのための訪問先ネットワーク１０２を通じての接続を制御することを可能にするが、それは図１の実施態様９のホーム・ネットワーク１０のＨＳＳ２０と記憶装置２８との関係に類似する。ＨＳＳ又はＵＭＳ１２０は、少なくともアクセス・タイプ・ネットワーク１０６、１０８及び１１０のうちの１つからの第１登録メッセージに応答して、ＣＳＣＦエンティティ１１８により接続通信メッセージを制御するのに使用されるべき加入者プロフィールを加入者装置１１２へ送る。該加入者プロフィールは全て特定のアクセス・ネットワーク特有の情報に組織されていない、ＣＳＣＦエンティティ１１８へ伝えられる加入者データであることができ、或いは、該加入者プロフィールは、アクセス・タイプ・ネットワーク１０６、１０８及び１１０に特有ではない加入者の面に関連する一般サービス・データと加入者装置１１２がローミングするアクセス特有ネットワークに特有である加入者のサービス面に関連するアクセス特有情報とであることができる。一般加入者情報とアクセス特有情報とは、以降は“マスター・プロフィール”と称される。
【００３０】
アクセス・ネットワーク１０６、１０８及び１１０のうちの１つでの加入者の登録時に、少なくともＣＳＣＦエンティティ１１８と、後述する２つの実施態様においてＨＳＳ又はＵＭＳ１２０とに、加入者が登録されているアクセス・ネットワークのタイプを知らせることが必要である。
【００３１】
加入者が登録されているアクセス・タイプ・ネットワーク１０６、１０８、１１０のタイプをＣＳＣＦエンティティ１１８に知らせる方法は明示的であっても暗示的であっても良い。明示的ＡＴＩを作る第１の方法は端末１１２がＡＴＩをＣＳＣＦエンティティ１１８に提供する方法である。ＡＴＩを作るもう一つの明示的方法は、加入者装置１１２と該ＡＴＩをＣＳＣＦエンティティ１１８に送るアクセス・タイプ１０６、１０８及び１１０との間のアクセス・ネットワークにおけるＣＳＣＦのためのインターフェースを提供するネットワーク・エレメントからのものである。最後に、ＣＳＣＦエンティティ１１８は、受け取った通信メッセージから、ＡＴＩネットワークのタイプ又はアイデンティティーを、ソース・アドレス又はアクセス・ネットワークから来るパケットのルートにより、暗示的に確かめることができる。端末が矢１１４で示されているように１つのアクセス・タイプ・ネットワークから他のアクセス・タイプ・ネットワークへとローミングする毎に、前述したように、ＣＳＣＦエンティティ１１８は端末１１２が現在登録されているネットワークのタイプを確かめる必要がある。
【００３２】
図７は、“ＸＸＸ”及び“ＹＹＹ”と称されるアクセス・タイプ・ネットワークのうちの１つによりＡＴＩが作られる第１の方法１４０を図解している。ＡＴＩはＣＳＣＦエンティティ１１８に伝えられ、それは更新位置情報と共にＨＳＳ又はＵＭＳ１２０へ送られ、それは加入者装置識別を伝える。該ＡＴＩは、加入者装置１１２が登録されているネットワークのタイプの識別を含んでいる。図７には示されていないけれども、ホーム・ネットワーク１０４の記憶装置１２３は加入者プロフィールを得るためにアクセスされ、それは加入者の識別と該加入者が登録されているアクセス・タイプ・ネットワークの性質とに基づいて検索される。この情報はマスター・プロフィールとしてＣＳＣＦエンティティ１１８へ送られ、それは、加入者プロフィールと現在のアクセス・タイプ・ネットワークの所要タイプの接続を提供する能力とに基づいて加入者装置１１２への通信の終結を許し又は拒むコール制御エンティティとして公知態様で機能する。
【００３３】
例えば、加入者プロフィールはアクセス・タイプ・ネットワークのうちの１つにおいて加入者装置１１２への通信が終結されることを許すことができるが、終結が望まれるときに、アクセス・タイプ・ネットワークの動作特性は拒絶を必要とすることがあり、その全てはＣＳＣＦエンティティ１１８によりそれがマスター・プロフィールを所有することに基づいて実行される。矢１１４で示されているように、端末１１２がローミングする毎に、新しい登録メッセージ１１６が作られ、それはアクセス・タイプ・ネットワークからＣＳＣＦエンティティ１１８へ送られ、これはＡＴＩを含む新しい更新位置メッセージをホーム・ネットワーク１０４のＨＳＳ又はＵＭＳ１２０へ送らせる。その後、マスター・プロフィールはＨＳＳ又はＵＭＳ１２０からＣＳＣＦエンティティ１１８へ送られる。このプロセスは、アクセス・タイプ・ネットワーク１０６、１０８及び１１０の間でのローミングによって作られる新しい登録が行われる毎に行われる。
【００３４】
図８は、加入者情報を処理する第２の方法１５０を図解している。この事態では、加入者プロフィールがＣＳＣＦエンティティ１１８に既に蓄積されている結果として第１の登録が行われた後に肯定応答１２３'がＨＳＳ又はＵＭＳ１２０からＣＳＣＦ１１８へ送られることを除いて、通信メッセージは図７の方法１４０と同一である。これはネットワーク効率を高める。
【００３５】
図９は、加入者情報を処理する第３の方法１６０を図解している。図９の手続１６０は、ＡＴＩが単にＣＳＣＦエンティティ１１８へ送られるという点で図７及び８の手続１４０及び１５０とそれぞれ異なる。更新位置情報だけがＣＳＣＦエンティティ１１８からＨＳＳ又はＵＭＳ１２０へ送られ、その後に手続１４０及び１５０で行われるようにマスター・プロフィールがＣＳＣＦへ送り返される。違いは次の通りである、即ち、ＨＳＳ又はＵＭＳ１２０がＡＴＩを知らないことの結果として、加入者のプロフィールがその様な終結が行われるのを許さないか又は、たとえ該終結が行われることを加入者プロフィールが許すとしても通信終結が望まれているときにアクセス・タイプ・ネットワークの機能が該終結が行われることを許さないために特定のアクセス・タイプ・ネットワークにおける加入者装置１１２での終結に適していない通信メッセージがＣＳＣＦエンティティ１１８が適切な事態のもとで通信の終結を拒絶する機能を実行する訪問先ネットワーク１０２に送られるので、ネットワーク全体の効率を低下させる結果をもたらす可能性のあるコール終結機能をホーム・ネットワーク１０４が実行できないということである。
【００３６】
手続１４０、１５０及び１６０において前述されたように明示的メッセージでの代わりにＣＳＣＦエンティティ１１８がＡＴＩを暗示的に確かめるならば、その後加入者装置１１２が登録されているアクセス・ネットワークのタイプを示すＡＴＩが暗示的に確かめられた後に同じプロセスが実行される。
【００３７】
図６−９の実施態様は、加入者が登録されているアクセス・タイプ・ネットワーク１０６−１１０に利用できるサービスのセットを提供するようにホーム・ネットワーク１０２と訪問先ネットワーク１０４とを含むネットワークが適応することを許す。これは、サービス品質（ＱｏＳ）を含むことのある任意の数の要因に基づいて加入者端末１１２が登録されているアクセス・ネットワークでのコール・スクリーニングの様な機能がそれへの接続を拒否するために実行されることを許す。
【００３８】
そのときにＨＳＳが加入者情報をＣＳＣＦへ送るアクセス・ネットワーク変更が行われるときに加えて、加入者情報は他の時にＣＳＣＦによりＨＳＳから要求されることができる。
【００３９】
その好ましい実施態様に関して本発明が説明されているけれども、添付されている請求項の精神及び範囲から逸脱することなくそれに多数の修正を行うことができることが理解されるべきである。その様な修正は全て添付されている請求項の範囲に含まれることが意図されている。
【図面の簡単な説明】
【００４０】
【図１】本発明に従ってホーム・ネットワークに接続される複数のネットワークの第１実施態様を図解している。
【図２】コール制御機能が訪問先ネットワークにあると仮定した、加入者装置を通しての公衆セルラー訪問先ネットワークから第１図のホーム・ネットワークへの加入者の接続性の第１実施態様を図解している。
【図３】コール制御機能がホーム・ネットワークにあると仮定した、加入者装置を通しての公衆セルラー訪問先ネットワークから第１図のホーム・ネットワークへの加入者の接続性の第２実施態様を図解している。
【図４】本発明に従う有線ＩＳＰを通してのホーム・ネットワークへの加入者装置を通しての加入者の接続性を図解している。
【図５】本発明に従う無線ＬＡＮを通してのホーム・ネットワークへの加入者装置を通しての加入者の接続性を図解している。
【図６】本発明に従って訪問先ネットワークを通してホーム・ネットワークに接続される複数のネットワークの第２実施態様を図解している。
【図７】図６の実施態様での加入者プロフィール情報の作成及び転送の第１の方法を図解している。
【図８】図６の実施態様での加入者プロフィール情報の作成及び転送の第２の方法を図解している。
【図９】図６の実施態様での加入者プロフィール情報の作成及び転送の第３の方法を図解している。
【図１】
2008271582.tif 000003
【図２】
2008271582.tif 000004
【図３】
2008271582.tif 000005
【図４】
2008271582.tif 000006
【図５】
2008271582.tif 000007
【図６】
2008271582.tif 000008
【図７】
2008271582.tif 000009
【図８】
2008271582.tif 000010
【図９】
2008271582.tif 000011
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
加入者の識別と該加入者に提供されるべきアクセスとを、複数のネットワークのうちの訪問先ネットワークからホーム・ネットワークへ送り；
該加入者の識別と該加入者に提供されるべきアクセスとに応答して、該訪問先ネットワークにおいて、該加入者に提供されるべき複数の認可されたアクセスのうちのある認可されたアクセスの加入者プロフィールを蓄積し；
該加入者に提供されるべきアクセスと、該複数の認可されたアクセスのうちのある認可されたアクセスを有する、該蓄積された加入者プロフィールと、の比較に依存して、ネットワークへの該加入者のアクセスを制御すること；を含む方法であって、
該加入者の識別を含むアプリケーション・レベル登録メッセージは、加入者装置から該訪問先ネットワークへの要求に応答して発生され、
該要求を受け取る該訪問先ネットワークは、該ホーム・ネットワークへ更新位置情報を送って、該ホーム・ネットワークに、該加入者の識別と該加入者が置かれているある特定のネットワークとを知らせることを特徴とする方法。
【請求項２】
各々の異なるアクセスは通信における異なる程度の帯域幅を提供する、請求項１に記載の方法。
【請求項３】
各アクセスは通信における異なる程度のセキュリティに備える、請求項１に記載の方法。
【請求項４】
各々のアクセスは異なる接続補足サービスを提供する、請求項１に記載の方法。
【請求項５】
該ホーム・ネットワークはインターネット・プロトコル・ネットワークであり、該訪問先ネットワークは無線公衆セルラー・ベアラー・ネットワークである、請求項１に記載の方法。
【請求項６】
該公衆セルラー・ベアラー・ネットワークは一般パケット無線システム・ネットワークである、請求項５に記載の方法。
【請求項７】
該ホーム・ネットワークはインターネット・プロトコル・ネットワークであり、該訪問先ネットワークはインターネット・サービス・プロバイダである、請求項１に記載の方法。
【請求項８】
該ホーム・ネットワークはインターネット・プロトコル・ネットワークであり、該訪問先ネットワークは無線ローカルエリアネットワークである、請求項１に記載の方法。
【請求項９】
該アクセスは、該加入者に許されることのできる複数の認可されたアクセスから選ばれる、請求項１に記載の方法。
【請求項１０】
該アクセスは、該加入者に許されることのできる複数の認可されたアクセスから選ばれる、請求項２に記載の方法。
【請求項１１】
該アクセスは、該加入者に許されることのできる複数の認可されたアクセスから選ばれる、請求項３に記載の方法。
【請求項１２】
該加入者の識別と該アクセスとを含むアプリケーション・レベル登録メッセージが加入者装置から訪問先ネットワーク・エンティティへの要求に応答して作られ；
該訪問先ネットワーク内のエンティティが該要求を受け取ったことに応答して、該ホーム・ネットワーク内のエンティティのアドレスが該訪問先ネットワークにおける経路指定分析から得られ；そして
該アプリケーション・レベル登録メッセージが該ホーム・ネットワーク内の該アドレスへ送られる、請求項１に記載の方法。
【請求項１３】
該ホーム・ネットワーク内のエンティティは、該アプリケーション・レベル登録メッセージの受け取りに応答して該加入者プロフィールを得る、請求項１２に記載の方法。
【請求項１４】
加入者の識別と該加入者に提供されるべきアクセスとを、複数のネットワークのうちの訪問先ネットワークからホーム・ネットワークへ送る送信装置と、
該加入者の識別と該加入者に提供されるべきアクセスとに応答して、該訪問先ネットワークにおいて、該加入者に提供されるべき複数の認可されたアクセスのうちのある認可されたアクセスの加入者プロフィールを蓄積する蓄積装置と；
該加入者に提供されるべきアクセスと、該複数の認可されたアクセスのうちのある認可されたアクセスを有する、該蓄積された加入者プロフィールと、の比較に依存して、ネットワークへの該加入者のアクセスを制御する制御装置と；
該加入者の識別を含むアプリケーション・レベル登録メッセージを、加入者装置から該訪問先ネットワークへの要求に応答して発生する発生装置と；を備え、
前記送信装置は、更に、該要求を受け取る該訪問先ネットワークにおいて、該ホーム・ネットワークへ更新位置情報を送って、該ホーム・ネットワークに、該加入者の識別と該加入者が置かれているある特定のネットワークとを知らせることを特徴とする装置。
【請求項１５】
各々の異なるアクセスは通信における異なる程度の帯域幅を提供する、請求項１４に記載の装置。
【請求項１６】
各アクセスは通信における異なる程度のセキュリティに備える、請求項１４に記載の装置。
【請求項１７】
各々のアクセスは異なる接続補足サービスを提供する、請求項１４に記載の装置。
【請求項１８】
該ホーム・ネットワークはインターネット・プロトコル・ネットワークであり、該訪問先ネットワークは無線公衆セルラー・ベアラー・ネットワークである、請求項１４に記載の装置。
【請求項１９】
該公衆セルラー・ベアラー・ネットワークは一般パケット無線システム・ネットワークである、請求項１８に記載の装置。
【請求項２０】
該ホーム・ネットワークはインターネット・プロトコル・ネットワークであり、該訪問先ネットワークはインターネット・サービス・プロバイダである、請求項１４に記載の装置。
【請求項２１】
該ホーム・ネットワークはインターネット・プロトコル・ネットワークであり、該訪問先ネットワークは無線ローカルエリアネットワークである、請求項１４に記載の装置。
【請求項２２】
該アクセスは、該加入者に許されることのできる複数の認可されたアクセスから選ばれる、請求項１４に記載の装置。
【請求項２３】
該アクセスは、該加入者に許されることのできる複数の認可されたアクセスから選ばれる、請求項１５に記載の装置。
【請求項２４】
該アクセスは、該加入者に許されることのできる複数の認可されたアクセスから選ばれる、請求項１６に記載の装置。
【請求項２５】
該アクセスは、該加入者に許されることのできる複数の認可されたアクセスから選ばれる、請求項１７に記載の装置。
【請求項２６】
該加入者の識別と該アクセスとを含むアプリケーション・レベル登録メッセージが加入者装置から訪問先ネットワーク・エンティティへの要求に応答して作られ；
該訪問先ネットワーク内のエンティティが該要求を受け取ったことに応答して、該ホーム・ネットワーク内のエンティティのアドレスが該訪問先ネットワークにおける経路指定分析から得られ；そして
該アプリケーション・レベル登録メッセージが該ホーム・ネットワーク内の該アドレスへ送られる、請求項１４に記載の装置。
【請求項２７】
該ホーム・ネットワーク内のエンティティは、該アプリケーション・レベル登録メッセージの受け取りに応答して該加入者プロフィールを得る、請求項２６に記載の装置。
【請求項２８】
加入者の識別と該加入者に提供されるべきアクセスとを、複数のネットワークのうちの訪問先ネットワークからホーム・ネットワークへ送る送信手段と、
該加入者の識別と該加入者に提供されるべきアクセスとに応答して、該訪問先ネットワークにおいて、該加入者に提供されるべき複数の認可されたアクセスのうちのある認可されたアクセスの加入者プロフィールを蓄積する蓄積手段と；
該加入者に提供されるべきアクセスと、該複数の認可されたアクセスのうちのある認可されたアクセスを有する、該蓄積された加入者プロフィールと、の比較に依存して、ネットワークへの該加入者のアクセスを制御する制御手段と；
該加入者の識別を含むアプリケーション・レベル登録メッセージを、加入者装置から該訪問先ネットワークへの要求に応答して発生する発生手段と；
該要求を受け取る該訪問先ネットワークにおいて、該ホーム・ネットワークへ更新位置情報を送って、該ホーム・ネットワークに、該加入者の識別と該加入者が置かれているある特定のネットワークとを知らせる手段と；を備えることを特徴とする装置。
【請求項２９】
コンピュータに、
加入者の識別と該加入者に提供されるべきアクセスとを、複数のネットワークのうちの訪問先ネットワークからホーム・ネットワークへ送り；
該加入者の識別と該加入者に提供されるべきアクセスとに応答して、該訪問先ネットワークにおいて、該加入者に提供されるべき複数の認可されたアクセスのうちのある認可されたアクセスの加入者プロフィールを蓄積し；
該加入者に提供されるべきアクセスと、該複数の認可されたアクセスのうちのある認可されたアクセスを有する、該蓄積された加入者プロフィールと、の比較に依存して、ネットワークへの該加入者のアクセスを制御する；
手順を実行させるコンピュータプログラムであって、
該加入者の識別を含むアプリケーション・レベル登録メッセージが、加入者装置から該訪問先ネットワークへの要求に応答して発生され、
該要求を受け取る該訪問先ネットワークが、該ホーム・ネットワークへ更新位置情報を送って、該ホーム・ネットワークに、該加入者の識別と該加入者が置かれているある特定のネットワークとを知らせる、ことを特徴とするコンピュータプログラム。
【請求項３０】
加入者がネットワークに登録する間又はその後に、該加入者の識別と複数のアクセスのうちのあるアクセスとを、該加入者のホーム・ネットワークから複数のネットワークのうちの訪問先ネットワークへ提供することを備え、該アクセスは該複数のアクセスから該加入者が登録されている該複数のネットワークのうちの１つへのアクセスの識別を含んでおり、
該加入者の識別を含むアプリケーション・レベル登録メッセージは、加入者装置から該訪問先ネットワークへの要求に応答して発生され、
該要求を受け取る該訪問先ネットワークは、該ホーム・ネットワークへ更新位置情報を送って、該ホーム・ネットワークに、該加入者の識別と該加入者が置かれているある特定のネットワークとを知らせることを特徴とする方法。
【請求項３１】
該ホーム・ネットワークでの該加入者の識別と該アクセスとの提供に応答して、該加入者に提供されるべき少なくとも該ネットワークへのアクセスを示す加入者プロフィールを蓄積し；そして
その蓄積された加入者プロフィールを、該加入者に提供されるサービスを制御するのに使用する、請求項３０に記載の装置。
【請求項３２】
該加入者に提供されるサービスの制御は該加入者が訪問先ネットワークに登録されている間に行われ、該ネットワークは、それから該加入者が該訪問先ネットワークにローミングしている間にサービスを得ることができるところのアクセス・ネットワークである、請求項３１に記載の装置。
【請求項３３】
該加入者に提供されるサービスの制御はコール制御エンティティの要求から行われる、請求項３２に記載の装置。
【請求項３４】
該加入者の識別とアクセスとを送ることは、該加入者が登録されているネットワークを特定するアクセス・タイプ・インジケータの該訪問先ネットワークを通しての該ホーム・ネットワークへの伝送に応答して又はコール・サービング・エンティティからの要求に応答して行われる、請求項３０に記載の装置。
【請求項３５】
加入者がネットワークに登録する間又はその後に、該加入者の識別と複数のアクセスのうちのあるアクセスとを、該加入者のホーム・ネットワークから複数のネットワークのうちの訪問先ネットワークへ提供する識別提供装置を備え、該アクセスは該複数のアクセスから該加入者が登録されている該複数のネットワークのうちの１つへのアクセスの識別を含んでおり、
該加入者の識別を含むアプリケーション・レベル登録メッセージは、加入者装置から該訪問先ネットワークへの要求に応答して発生され、
該要求を受け取る該訪問先ネットワークは、該ホーム・ネットワークへ更新位置情報を送って、該ホーム・ネットワークに、該加入者の識別と該加入者が置かれているある特定のネットワークとを知らせることを特徴とする装置。
【請求項３６】
該ホーム・ネットワークでの該加入者の識別と該アクセスとの提供に応答して、該加入者に提供されるべき少なくとも該ネットワークへのアクセスを示す加入者プロフィールを蓄積するよう構成された蓄積装置；そして
その蓄積された加入者プロフィールを、該加入者に提供されるサービスを制御するのに使用するよう構成された制御装置、を更に備えた請求項３０に記載の装置。
【請求項３７】
前記制御装置は、該加入者に提供されるサービスを該加入者が訪問先ネットワークに登録されている間に制御するよう構成されており、該ネットワークは、それから該加入者が該訪問先ネットワークにローミングしている間にサービスを得ることができるところのアクセス・ネットワークである、請求項３６に記載の装置。
【請求項３８】
該加入者に提供されるサービスの制御はコール制御エンティティの要求から行われる、請求項３７に記載の装置。
【請求項３９】
該加入者の識別とアクセスとを送ることは、該加入者が登録されているネットワークを特定するアクセス・タイプ・インジケータの該訪問先ネットワークを通しての該ホーム・ネットワークへの伝送に応答して又はコール・サービング・エンティティからの要求に応答して行われる、請求項３５に記載の装置。
【請求項４０】
加入者がネットワークに登録する間又はその後に、該加入者の識別と複数のアクセスのうちのあるアクセスとを、該加入者のホーム・ネットワークから複数のネットワークのうちの訪問先ネットワークへ提供する識別提供手段を備え、該アクセスは該複数のアクセスから該加入者が登録されている該複数のネットワークのうちの１つへのアクセスの識別を含んでおり、
該加入者の識別を含むアプリケーション・レベル登録メッセージは、加入者装置から該訪問先ネットワークへの要求に応答して発生され、
該要求を受け取る該訪問先ネットワークは、該ホーム・ネットワークへ更新位置情報を送って、該ホーム・ネットワークに、該加入者の識別と該加入者が置かれているある特定のネットワークとを知らせることを特徴とする装置。
【請求項４１】
コンピュータに、
加入者がネットワークに登録する間又はその後に、該加入者の識別と複数のアクセスのうちのあるアクセスとを、該加入者のホーム・ネットワークから複数のネットワークのうちの訪問先ネットワークへ提供する手順を実行させるコンピュータプログラムであって、 該アクセスは該複数のアクセスから該加入者が登録されている該複数のネットワークのうちの１つへのアクセスの識別を含んでおり、
該加入者の識別を含むアプリケーション・レベル登録メッセージは、加入者装置から該訪問先ネットワークへの要求に応答して発生され、
該要求を受け取る該訪問先ネットワークは、該ホーム・ネットワークへ更新位置情報を送って、該ホーム・ネットワークに、該加入者の識別と該加入者が置かれているある特定のネットワークとを知らせることを特徴とするコンピュータプログラム。
【請求項４２】
加入者に提供されるべきネットワークへのアクセスを各々定める複数の加入者プロフィールを蓄積するホーム・ネットワークと；
該ホーム・ネットワークに接続されている複数のネットワークと；
それを通して該加入者がいずれかのネットワークへのアクセスを得るところの該複数のネットワークのうちの訪問先の１つに接続されている加入者装置とを含んでおり；
該訪問先ネットワークへの該加入者装置の接続に応答して、該加入者の識別と該加入者に提供されるべきアクセスとが該訪問先ネットワークから該ホーム・ネットワークへ送られ、
該加入者に提供されるべき複数の認可されたアクセスのうちのある認可されたアクセスの加入者プロフィールが該複数のネットワークのうちの１つに蓄積され、該ネットワークへの該加入者のアクセスが、該加入者プロフィールを蓄積している該複数のネットワークのうちの１つにより、該加入者に提供されるべきアクセスと、該複数の認可されたアクセスのうちのある認可されたアクセスを有する、該蓄積された加入者プロフィールと、の比較に依存して制御されるようになっており、
該加入者の識別を含むアプリケーション・レベル登録メッセージは、加入者装置から該訪問先ネットワークへの要求に応答して発生され、
該要求を受け取る該訪問先ネットワークは、該ホーム・ネットワークへ更新位置情報を送って、該ホーム・ネットワークに、該加入者の識別と該加入者が置かれているある特定のネットワークとを知らせることを特徴とするシステム。